【事件の表示】
　特許第３４７０６０６号「曲面状レンチキュラースクリーン」の請求項１ないし３に係る特許に対する特許異議の申立てについて、次のとおり決定する。
【結　論】
　訂正を認める。
　特許第３４７０６０６号の請求項１乃至３に係る特許を維持する。
【理　由】
１．手続の経緯
　特許第３４７０６０６号の請求項１乃至３に係る発明についての出願は、平成１０年７月３０日に特許出願され、平成１５年９月１２日にその発明について特許権の設定登録がなされ、その後、その請求項１乃至３に係る特許について、異議申立人大日本印刷株式会社より平成１５年１２月２４日に特許異議の申立てがなされ、平成１７年１月２０日付で取消しの理由が通知され、その指定期間内である平成１７年３月２９日に訂正請求がなされたものである。
　
２．訂正の適否についての判断
２−１．訂正の内容
（１）訂正事項ａ
　訂正前の特許請求の範囲の請求項１において、「、（粘着剤層）、拡散板、（粘着剤層）、」とあるのを、「、粘着剤層、拡散板、粘着剤層、」と訂正する。
（２）訂正事項ｂ
　訂正前の明細書第【０００５】段落において、「、（粘着剤層）、拡散板、（粘着剤層）、」とあるのを、「、粘着剤層、拡散板、粘着剤層、」と訂正する。
　
２−２．訂正の目的の適否、新規事項の有無及び拡張・変更の存否
　訂正事項ａは訂正前の特許請求の範囲の請求項１において両「粘着剤層」が特許発明の技術的範囲に含まれることを明確にするものであり、明りょうでない記載の釈明に相当する。
　また訂正事項ｂは、上記訂正事項ａの特許請求の範囲の訂正に伴い、発明の詳細な説明の記載を整合させたもので、明りょうでない記載の釈明に相当する。
　そして上記訂正事項ａ、ｂは、願書に最初に添付した明細書又は図面に記載した事項の範囲内の訂正であり、実質上特許請求の範囲を拡張しまたは変更するものではない。
　
２−３．むすび
　したがって、上記訂正は、特許法第１２０条の４第２項及び第３項で準用する第１２６条第２項及び第３項の規定に適合するので、当該訂正を認める。
　
３．特許異議の申立てについての判断
３−１．特許異議の申立理由／平成１７年１月２０日付取消理由の概要
（１）平成１７年１月２０日付取消理由の概要
［Ａ］本件特許請求の範囲の記載に不備があり、本件特許は特許法第３６条第６項の規定に違反してなされたものである。すなわち、特許請求の範囲の請求項１の「、（粘着剤層）、拡散板、（粘着剤層）、」なる記載において両「粘着剤層」に括弧｛「（」及び「）」｝が付されている意味が不明で、特許を受けようとする発明が明確でない。
［Ｂ］本件請求項１乃至３に係る発明は、刊行物１乃至７に記載された各発明に基づいて当業者が容易に成し得た発明であるから、本件請求項１乃至３に係る発明の特許は特許法第２９条第２項の規定に違反してなされたものである。
　また、本件請求項１に係る発明は刊行物１、５、６、８、９に記載された各発明に基づいて、本件請求項２乃至３に係る発明は刊行物１、５、６、７、８、９に記載された各発明に基づいて当業者が容易に成し得た発明であるから、本件請求項１乃至３に係る発明の特許は特許法第２９条第２項の規定に違反してなされたものである。
　
（２）異議申立人提出の証拠（甲第１乃至７号証）及び取消理由で引用された刊行物（刊行物１乃至９）
 刊行物１（異議申立人提出の証拠の甲第１号証）：特開昭５６−１６２６１９号公報 
 刊行物２（同甲第２号証）：「プラスチックデータハンドブック」（工業調査会　１９８４年４月５日発行）（表紙、目次（第３−１３頁）、第３１頁、第３７２−３７７頁、奥付） 
 刊行物３（同甲第３号証）：特開平５−２０４０４８号公報 
 刊行物４（同甲第４号証）：実願昭５７−１７５２９８号（実開昭５９−７９８３９号）のマイクロフィルム 
 刊行物５（同甲第５号証）：特開平８−２２０７７号公報 
 刊行物６（同甲第６号証）：特開平９−１２０１０１号公報 
 刊行物７（同甲第７号証）：特開平９−１２０１０２号公報 
 刊行物８：実願平１−３６０７３号（実開平２−１２８１４１号）のマイクロフィルム 
 刊行物９：特開平１０−４８７５２号公報 
　
３−２．取消理由［Ａ］についての判断
　上記２．で述べたように、訂正後の本件請求項１に係る発明では、訂正明細書の特許請求の範囲の請求項１に記載のとおり両「粘着剤層」に括弧は付されず、両「粘着剤層」が特許発明の技術的範囲に含まれることが明確に把握できる。
　すなわち、平成１７年３月２９日付けの訂正請求での訂正により、請求項１の記載は特許を受けようとする発明が明確なものであり、記載不備は解消された。
　
３−３．取消理由［Ｂ］についての判断
（１）本件発明
　上記２．で示したように上記訂正が認められるから、本件の請求項１乃至３にかかる発明（以下「本件発明１乃至３」という。）は、上記訂正に係る訂正明細書の特許請求の範囲の請求項１乃至３に記載された次のとおりのものである。
「【請求項１】　フレネルレンズと組み合わせて透過型スクリーンを構成するレンチキュラースクリーンにおいて、
　片面にシリンドリカルレンズが形成され、他面の平坦面側に前記シリンドリカルレンズによる非集光部となる各レンズの境界部に相当する箇所に設ける遮光層が形成されたレンチキュラー基材、粘着剤層、拡散板、粘着剤層、該拡散板を構成する樹脂よりも吸水率の小さい樹脂からなる透明基材を順次積層してなるレンチキュラースクリーンをシリンドリカルレンズ側が凸状となるように湾曲した曲面を有することを特徴とする曲面状レンチキュラースクリーン。
【請求項２】　遮光層は、レンチキュラースクリーンの平坦面に、未硬化状態の紫外線硬化型樹脂層を設け、
　光源とレンチキュラースクリーンとを、シリンドリカルレンズの並設方向に相対移動させながら、シリンドリカルレンズの長手方向に延びた帯状の光線を、シリンドリカルレンズ側から前記樹脂層に対して紫外線を照射して、
　各シリンドリカルレンズによって集光された部分の前記樹脂を硬化させ、
　硬化した部分以外の粘着性を有する前記樹脂の表面を黒色に着色して、形成されることを特徴とする請求項１記載の曲面状レンチキュラースクリーン。
【請求項３】　透明基材の厚みが、２５〜２５０μｍであることを特徴とする請求項１または２記載の曲面状レンチキュラースクリーン。」
　
（２）対比・判断
［本件発明１について］
　上記刊行物５（第５号証）には、
　フレネルレンズと組み合わせて透過型スクリーンを構成するレンチキュラーレンズシートにおいて、片面にレンズが形成されたレンズシート、接着層、（表面から見て）背面側に拡散層を形成してなり、該レンズシートを構成する樹脂よりも吸水伸び率の小さい樹脂からなるフィルムを順次積層した構成が記載されている。
　刊行物５記載の発明の「レンチキュラーレンズシート」、「レンズシートに形成されたレンズ」、「片面にレンズが形成されたレンズシート」、「接着層」、「吸水伸び率の小さい樹脂」は各々本件発明１の「レンチキュラースクリーン」、「シリンドリカルレンズ」、「レンチキュラー基材」、「粘着剤層」、「吸水率の小さい樹脂」に相当するので、刊行物５には、フレネルレンズと組み合わせて透過型スクリーンを構成するレンチキュラースクリーンにおいて、片面にシリンドリカルレンズが形成されたレンチキュラー基材、粘着剤層、背面に拡散層を形成してなり、該レンチキュラー基材を構成する樹脂よりも吸水率の小さい樹脂からなるフィルムを順次積層する発明が開示されている。
　しかしながら、刊行物５記載の発明では、各層を構成する樹脂の吸水率の大小関係に関して、レンチキュラー基材と、背面に拡散層を形成してなるフィルムとの間で吸水率の大小関係を設定しているものである。本件発明１の、三層積層構造のレンチキュラースクリーン中の、隣り合う二層である拡散板と透明基材の間で吸水率の大小関係を設定している構成については、記載も示唆もない。
　また、刊行物５以外の上記各刊行物（刊行物１−４、６−９）には、レンチキュラースクリーンの積層構造中の各層を構成する樹脂の間で吸水率の大小関係を設定すること自体が、記載も示唆もされていない。
　そして、本件発明１は上記構成を有することにより、本件特許明細書記載の顕著な作用効果を奏するものである。
　したがって、本件発明１は、刊行物１乃至９に記載された各発明に基づいて当業者が容易に成し得た発明であるとはいえない。
　
［本件発明２及び３について］
　本件発明２及び３は本件発明１を引用する発明であり、本件発明１の構成のすべてを包含する発明であるから、上記［本件発明１について］の項で述べた理由と同様の理由により、本件発明２及び３は刊行物１乃至９に記載された各発明に基づいて当業者が容易に成し得た発明であるとはいえない。
　したがって、本件発明２及び３は、刊行物１乃至９に記載された各発明に基づいて当業者が容易に成し得た発明であるとはいえない
　
４．むすび
　以上のとおりであるから、特許異議申立の理由、その証拠及び平成１７年１月２０日付取消理由、その証拠によっては、本件発明１乃至３の特許を取り消すことができない。
　また、他に本件発明１乃至３についての特許を取り消すべき理由を発見しない。
　よって、結論のとおり決定する。
【異議決定日】
平成１７年５月１７日（２００５．５．１７）
【訂正の要旨】
審決（決定）の【理由】欄参照。
（５４）【発明の名称】
曲面状レンチキュラースクリーン
（５７）【特許請求の範囲】
　【請求項１】
　フレネルレンズと組み合わせて透過型スクリーンを構成するレンチキュラースクリーンにおいて、
　片面にシリンドリカルレンズが形成され、他面の平坦面側に前記シリンドリカルレンズによる非集光部となる各レンズの境界部に相当する箇所に設ける遮光層が形成されたレンチキュラー基材
、粘
層、
、粘
層、
　【請求項２】
　遮光層は、レンチキュラースクリーンの平坦面に、未硬化状態の紫外線硬化型樹脂層を設け、
　光源とレンチキュラーズクリーンとを、シリンドリカルレンズの並設方向に相対移動させながら、シリンドリカルレンズの長手方向に延びた帯状の光線を、シリンドリカルレンズ側から前記樹脂層に対して紫外線を照射して、
　各シリンドリカルレンズによって集光された部分の前記樹脂を硬化させ、
　硬化した部分以外の粘着性を有する前記樹脂の表面を黒色に着色して、形成されることを特徴とする請求項１記載の曲面状レンチキュラースクリーン。
　【請求項３】
　透明基材の厚みが、２５〜２５０μｍであることを特徴とする請求項１または２記載の曲面状レンチキュラースクリーン。
【発明の詳細な説明】
　【０００１】
　【発明の属する技術分野】
　本発明は、レンチキュラースクリーンとフレネルレンズとからなるプロジェクションタイプのテレビ用透過型スクリーンに使用されるレンチキュラースクリーンに関する。
　【０００２】
　【従来の技術】
　レンチキュラーシートとフレネルレンズとから組み合わせてなる透過型スクリーンは、通常レンチキュラーシートとフレネルレンズの少なくとも２枚の樹脂製の光学部材を重ね合わせて構成されており、従来このようなスクリーンは２枚の光学部材を重ね合わせて密着させ、その装着部の４周を接着剤、ネジ止め、テープ止め等により装着部を密着固定していた。従来、スクリーンを構成する樹脂は、アクリル樹脂、ポリカーボネート樹脂、スチレン樹脂、塩化ビニル樹脂等が使用されていた。これらの樹脂は吸湿性を有している上に、スクリーンに成形加工する際に発生する応力や歪みが基材内部に残存しているために、熱や湿気が加えられた時、伸縮、反り、変形が生じる。その結果、周辺部を密着固定した後、スクリーンが反り返って中心部が外側に膨れ上がってしまい、スクリーンとしての外観を阻害し、テレビの音声を大きくした時スクリーンが振動して、ビビリと音を発生し、更に焦点ボケ、解像度の低下、色再現性の低下、二重像、シェーディング現象等が発生し、映像画質の劣化が起こる問題があった。
　【０００３】
　また、上記のような問題を解決する方法として、スクリーンを構成するレンチキュラーシートを成形加工する際、加熱、冷却条件を制御して、レンチキュラーシートのシリンドリカルレンズが並設されている側に、強制的に凸状の湾曲に反らせて、スクリーンを構成するもう一つの光学部材であるフレネルレンズにレンチキュラーシートのシリンドリカルレンズが並設されている側の凸状の湾曲面を重ね合わせて、スクリーン装着部の４周を接着剤、ネジ止め、テープ止め等により装着部を密着固定する方法が提案されている。しかし、上記の提案は、初期の段階では有効であるが、経時とともに熱や湿気が加えられた環境では、徐々に変形し、反り返って中心部が外側に膨れ上がってしまい（図３（ｂ））、上記と同様の問題が発生する。
　【０００４】
　【発明が解決しようとする課題】
　本発明は、上記の問題点を解決するためになされたものである。レンチキュラーシートのシリンドリカルレンズが並設されている側に、凸状の湾曲に強制的に反らせて、かつスクリーンを構成するもう一つの光学部材であるフレネルレンズと重ね合わせて、装着部の４周を接着剤、ネジ止め、テープ止め等により装着部を密着固定した後、熱や湿気が加えられた環境下でも、変形せずに、スクリーン中心部に絶えずもう一方のフレネルレンズ面が密着するような応力が生じるように密着固定できる曲面状レンチキュラースクリーンを提供することを目的とする。
　【０００５】
　【課題を解決するための手段】
　本発明に示す以下の手段によって、上記目的が達成される。すなわち請求項１記載の発明は、フレネルレンズと組み合わせて透過型スクリーンを構成するレンチキュラースクリーンにおいて、片面にシリンドリカルレンズが形成され、他面の平坦面側に前記シリンドリカルレンズによる非集光部となる各レンズの境界部に相当する箇所に設ける遮光層が形成されたレンチキュラー基材
、粘
層、
、粘
層、
　【０００６】
　請求項２記載の発明は、請求項１記載の曲面状レンチキュラースクリーンにおいて、遮光層は、レンチキュラースクリーンの平坦面に、未硬化状態の紫外線硬化型樹脂層を設け、光源とレンチキュラースクリーンとを、シリンドリカルレンズの並設方向に相対移動させながら、シリンドリカルレンズの長手方向に延びた帯状の光線を、シリンドリカルレンズ側から前記樹脂層に対して紫外線を照射して、各シリンドリカルレンズによって集光された部分の前記樹脂を硬化させ、硬化した部分以外の粘着性を有する前記樹脂の表面を黒色に着色して、形成されることを特徴とする。
　【０００７】
　【０００８】
　【０００９】
　請求項３記載の発明は、請求項１または２記載の曲面状レンチキュラースクリーンにおいて、透明基材の厚みが、２５〜２５０μｍであることを特徴とする。
　【００１０】
　【発明の実施の形態】
　本発明の実施の形態について図に基づいて詳細に説明する。図１（ａ）は、プロジェクションタイプのテレビ等に使用されるレンチキュラースクリーンとフレネルレンズとからなる透過型スクリーンの斜視図である。投写側にフレネルレンズ１を、観察側にレンチキュラースクリーン２を配設した２枚構成の透過型スクリーンを示した。
　図１（ｂ）は、従来のレンチキュラースクリーンの構成の一例を示したものである。レンチキュラーシート基材４の片面にシリンドリカルレンズ部３を並設した片面レンチキュラーシートのシリンドリカルレンズ部３の反対面の平坦面にストライプ状の遮光層５を設け、その上に粘着層等を介して透明樹脂板６を配設した構成のレンチキュラースクリーンの例である。
　【００１１】
　図２は、本発明の曲面状レンチキュラースクリーンの一実施例の構成を示した断面図である。本発明の曲面状レンチキュラースクリーン２０は、片面レンチキュラーシート基材２４のシリンドリカルレンズ部２３の反対面の平坦面に形成したストライプ状の遮光層２５の上に、透明樹脂板２６が粘着層２７を介して積層され、更に該樹脂板２６に該樹脂板を構成する樹脂よりも小さい吸水率を有する樹脂からなり、透明基材２８の片面が表面処理が施されており、反対面の表面処理の施されていない面を重ね合わせ、粘着層２７を介して該透明基材が積層された構成のレンチキュラースクリーンであって、かつシリンドリカルレンズ部２３側に凸状に湾曲した曲面を有する曲面状レンチキュラースクリーン２０である。
　【００１２】
　本発明で使用されるレンチキュラーシートは、アクリル樹脂、ポリエステル樹脂、塩化ビニル樹脂、ポリカーボネート樹脂等の透明樹脂を任意の成形方法で成形したものでも良し、又はＵＶ硬化型樹脂やＥＢ硬化型樹脂等の電離放射線硬化型樹脂を用いた該樹脂の硬化物からなるもの、更にレンチキュラーシートのシリンドリカルレンズのみを紫外線硬化型樹脂の硬化物からなり、前記透明樹脂基材の表面に該シリンドリカルレンズを形成したものでも良い。特に限定されるものではない。
　【００１３】
　本発明で使用される透明樹脂板は、アクリル樹脂、ポリエステル樹脂、塩化ビニル樹脂、ポリカーボネート樹脂等使用できるが、光学特性にすぐれ、剛性があり、耐熱性、耐薬品性が良好であればよく、特に限定されない。また、透明樹脂板に光の拡散効果を付与する光拡散剤を添加することもできる。また、スクリーンのコントラストを更に向上させるために、ティント剤を添加しても良い。
　【００１４】
　また、本発明で使用される小さい吸水率を有する透明樹脂基材は、ポリエステル樹脂、ポリイミド樹脂、ポリエチレンナフタレート（ＰＥＮ）樹脂等が使用されるが、前記透明樹脂板を構成する樹脂の吸水率よりも小さい吸水率を有する透明樹脂であれば特に限定されない。
　【００１５】
　本発明の曲面状レンチキュラースクリーンを積層構成する際の粘着層は、汎用の粘着剤、又は積層用粘着フィルムを使用できる。特に、限定されるものではない。また、積層方法はロールラミネーターを使用するのが望ましいが、特に限定されない。ラミネート積層加工での加熱及び冷却条件を適宜選択することによって、凸状の湾曲した曲面を形成することができる。本発明の曲面状レンチキュラースクリーンは、観察面の最外層に吸水率の小さい樹脂からなる透明基材を積層することによって、凸状の湾曲した曲面を形成した後、加熱や湿気の加わった環境下でも、曲面が変形することなく、曲面状態を保持できることを見出し、本発明に至ったものである。
　【００１６】
　本発明の曲面状レンチキュラースクリーンの遮光層は、レンチキュラーシートの平坦面に紫外線硬化型樹脂層を設け、光源とレンチキュラーシートとを、シリンドリカルレンズの並設方向に相対移動させながら、シリンドリカルレンズの長手方向に延びた帯状の光線を、シリンドリカルレンズ側からレンチキュラーシートの平坦面に形成した紫外線硬化型樹脂層に対して垂直に紫外線を照射して、各シリンドリカルレンズによって集光された部分の未硬化状態の前記樹脂を硬化させ、硬化した部分以外の前記樹脂の粘着性を有する表面を黒色に着色した遮光層であることを特徴とする。
　【００１７】
　図４に基づいて、本発明の曲面状レンチキュラースクリーンの遮光層について、以下詳細に説明する。片面にシリンドリカルレンズ４３が並設され、他面が平坦面であるレンチキュラーシート４４（図４（ａ））の平坦面に紫外線硬化型樹脂層４５を形成し、該樹脂層の表面には保護フィルム４６を設ける（図４（ｂ））。次に、光源とレンチキュラーシートとを、シリンドリカルレンズの並設方向に相対移動させながら、シリンドリカルレンズの長手方向に延びた帯状の光線５０を、シリンドリカルレンズ側からレンチキュラーシートの紫外線硬化型樹脂層に対して垂直に紫外線を照射して、各シリンドリカルレンズ４３によって集光された部分４５（ｂ）の未硬化状態の前記樹脂を硬化させる（図４（ｃ））。紫外線硬化型樹脂層４５を形成したレンズシートの平坦面の全面に黒色の着色層４８が形成された転写シート４０を前記着色層４８側で重ね合わせ（図４（ｄ））、未硬化部分４５（ａ）の前記樹脂の粘性を利用して、前記着色層４８を未硬化部分４７（ａ）にのみ付着させ、硬化部分４７（ｂ）の着色層をレンズシートから剥離することによりストライプ状の遮光層４９が形成され（図４（ｅ））る。実際のレンチキュラーシートへの紫外線の照射による非集光部に対してであり、真にストライプ状の遮光層４９の形成が必要な箇所に、確実な位置精度で形成が行なわれる。
　【００１８】
　転写シート４０は基材４７の一方の面に着色インキ層からなる着色層４８がコートされた構成であるが、基材としては、ポリエチレンテレフタレートが一般的であり、着色インキは一般的に、着色剤を保持するためのバインダー樹脂との混合物である。バインダー樹脂としては、熱可塑性樹脂が一般的であり、アクリル樹脂、エポキシ樹脂、飽和ポリエステル樹脂、ポリ塩化ビニル樹脂、ポリ酢酸ビニル樹脂、塩化ビニル−酢酸ビニル共重合体、ポリビニルアセタール樹脂、フェノール樹脂、ウレタン樹脂等が上げられるが、ＵＶ硬化樹脂との接着性、基材からの剥離性を考慮した場合、アクリル樹脂が好ましい。着色剤としては、黒色であるカーボンブラック、鉄黒、アニリンブラック、有機顔料の混色等が挙げられる。また、カーボンブラック、鉄黒、アニリンブラック、黒色に着色した樹脂微粒子等の黒色微粉体を直接付着させてもよい。
　【００１９】
　本発明の曲面状レンチキュラースクリーンにおいて、小さい吸水率を有する樹脂からなる透明基材は、基材の一方の面に、少なくともハードコート処理、マット処理、帯電防止処理、反射防止処理の何れかの処理がなされた基材であって、基材の表面に処理が施されていないもう一方の面を透明樹脂板と重ね合わせ、粘着層を介して積層されていることを特徴とする。
　【００２０】
　前記ハードコート処理層は、透明基材の表面に紫外線硬化性のハードコート塗液をディプコート、ロールコート等の方法により、コーティングして、次に紫外線を照射して硬化させることにより形成することができる。紫外線硬化型のハードコート塗液としては、アクリレート等の多官能アクリレートを主成分とし、これに各種溶剤、光重合開始剤等を混合したものが使用することができる。これによって表面の耐擦傷性が向上する。
　【００２１】
　前記マット処理層は、上記のハードコート塗液にガラスビーズあるいは樹脂ビーズ混合して、コーティングして、硬化させることにより表面に微細な凹凸（マット面）が形成できる。
　【００２２】
　前記反射防止処理層は、低屈折率のものを膜厚を制御して蒸着又はコーティングして形成することができる。蒸着の場合には、ＭｇＦ２、ＳｉＯ２等の誘電体を、コーティングのの場合には、フッ素樹脂等を使用できる。
　【００２３】
　前記帯電防止処理は、界面活性剤系、シロキサン系、ポリマー系、金属酸化物系の何れかの単体もしくは１種以上の混合体から選択された帯電防止剤を前記ハードコート処理用塗液と混合して、小さい吸水率を有する樹脂からなる透明基材の一方の面に塗布によって処理を施すか、あるいは該基材の一方の面にハードコート層を設けたその表面に塗布によって処理を施したことを特徴とする。基材表面への帯電を防止し、塵や埃の吸着を防ぐものである。
　【００２４】
　小さい吸水率を有する樹脂からなる透明基材の厚みが、２５〜２５０μであることを特徴とする。基材の厚みを、２５〜２５０μにすることにより、反り具合の調整を行うもので、好ましくはレンチキュラーシートのバランスから５０〜１８８μである。
　【００２５】
　【実施例】
　以下、図面に基づいて本発明の実施の形態を説明する。
　【００２６】
＜実施例＞
　本説明の実施例においては、下記のものを使用する。しかし、本実施例に限定されるものではない。厚さ１．０ｍｍのレンチキュラーシート透明基材（材質；アクリル）上にＵＶ硬化型樹脂（材質；エポキシアクリレート系）の硬化物からなるシリンドリカルレンズ群を形成したもので、ピッチ０．４ｍｍ、球面半径０．３５ｍｍ、レンズ部厚さ０．０６３ｍｍ、サイズ１２０ｃｍ×９０ｃｍのレンチキュラーシートを作製した。上記レンチキュラーシートの平坦面へ、クロマリンフィルム（デュポン社製商品名）を使用して紫外線硬化型樹脂層を形成した。該樹脂層の表面には剥離可能な保護フィルムが積層されている。
　【００２７】
　レンチキュラーシートをシリンドリカルレンズの並設方向に、２ｃｍ／秒の移動速度で移動させながら、シリンドリカルレンズの長手方向に延びた近紫外線水銀灯（出力１３ｋＷ、１２０Ｗ／ｃｍ）を使用して、帯状の光線（以下、スリット光と称する）を、前記樹脂層に、垂直にシリンドリカルレンズ側より紫外線を照射露光する。シリンドリカルレンズのレンズ機能によって集光された部分の前記樹脂層を硬化させ、非粘着性とする。レンズ機能によって集光されない部分の前記樹脂層は、粘着性を有したままである。前記樹脂層上の保護層を剥離し、粘着性を有する状態の樹脂層を黒色に着色する。着色方法としては、転写シートの転写インキ層（黒色）を樹脂層に重ね合わせ、粘着性を有する樹脂層のみに前記インキ層を転写形成した。非粘着性の樹脂層には前記インキ層は転移しない。また、カーボンブラックの黒色トナーを平坦面の全面に散布し、非粘着性の樹脂層に散布された黒色トナーを除去する方法を採用しても良い。前記方法の場合、保護層の代わりに前記転写シートを保護層として用いることも有効である。次いで、前記樹脂層の全面に紫外線を照射して、前記樹脂層を完全に硬化させる。
　【００２８】
　一方、１８８μのＰＥＴフィルムの一方の面にハードコート、マット処理、が施されたフィルムのマット処理された面上に、さらに帯電防止剤をコーティングし、次に上記透明基材の処理の施されていない反対面に粘着剤をコーティングしアクリル板と粘着剤面とを貼合した。上記にて作製したレンチキュラ−シートの平坦面に形成したストライプ状の遮光面上に粘着剤をコーティングし、上記で作製した１８８μのＰＥＴフィルムのハードコート、マット処理及び帯電防止剤をコーティングされた面の反対面とを、レンチキュラ−シートのシリンドリカカルレンズ側に凸状に湾曲するように貼合して、本発明の曲面状レンチキュラ−スクリーンを作製した。
　【００２９】
＜比較例＞
　実施例と同様の片面にシリンドリカルレンズを並設したレンチキュラ−シートの平坦面にストライプ状の遮光層を設けた上に、反対面に粘着層を介しアクリル板（厚さ２ｍｍ、三菱レイヨン製商品名「アクリライト」）を貼合したレンチキュラースクリーンを作製した。
　【００３０】
　上記で作製された本発明の曲面状レンチキュラースクリーン（実施例）と従来のレンチキュラースクリーン（比較例）を温度６０℃、湿度９０％の環境に４８時間保存後、取り出し、反りの具合を観察した結果、従来のレンチキュラースクリーンは観察側平坦面を凸状に湾曲の反りが発生した。一方、本発明の曲面状レンチキュラースクリーンは曲面が変形することなく、シリンドリカルレンズの並設されている側に凸状の湾曲に反った状態が保持されていた。
　【００３１】
　【発明の効果】
　レンチキュラーシートのシリンドリカルレンズの並設されている側に凸状の湾曲に強制的に反らせ、かつスクリーンを構成するもう一つの光学部品であるフレネルレンズと重ね合わせ、４周を接着剤、ネジ止め、テープ止め等により装着部を密着固定した後、熱や湿気が加えられた環境下でも、変形せずにスクリーン中心部に絶えずもう一方のフレネルレンズ面が密着するような応力が生じるように密着固定できるため、高温多湿の保存下において発生するシリンドリカルレンズ面側への反りが解消され、フレネルレンズとの組み合わせにおいて、スクリーンとしての外観、テレビの音声を大きくした時スクリーンが振動して、ビビリと音を発生し、更に焦点ボケ、解像度の低下、色再現性の低下、二重像、シェーディング現象等が発生し、映像画質の劣化が起らないレンチキュラースクリーンを提供することができる。
【図面の簡単な説明】
　【図１】（ａ）は、レンチキュラースクリーンとフレネルレンズとの組み合わせからなる透過型スクリーンの斜視図。（ｂ）は、従来の２枚構成からなるレンチキュラースクリーンの断面図。
　【図２】本発明の曲面状レンチキュラースクリーンの断面図。
　【図３】（ａ）は、本発明の曲面状レンチキュラースクリーンとフレネルレンズとの組み合わせて、装着部の４周を密着固定した状態を示した断面図。（ｂ）は、従来のレンチキュラースクリーンとフレネルレンズとの組み合わせて、装着部の４周を密着固定した状態を示した断面図。
　【図４】本発明の遮光層の形成方法を示した概念図。
　【符号の説明】
　１、３１　　　　　　フレネルレンズ
　２、２０　　　　　　レンチキュラースクリーン
　３、２３、３３、４３　シリンドリカルレンズ
　４、２４、３４、４４　レンチキュラーシート基材
　５、２５、３５、４９　遮光層
　６、２６、３６　　　　透明樹脂板
　２８、３８　　　　　　透明樹脂基材
　２９、３９　　　　　　表面処理層
　３７　　　　　　　　　粘着層
　４０　　　　　　　　　転写シート
　４５　　　　　　　　　紫外線硬化型樹脂層
　４５（ａ）　　　　　　未硬化部分の紫外線硬化型樹脂層
　４５（ｂ）　　　　　　硬化部分の紫外線硬化型樹脂層
　４６　　　　　　　　　剥離可能な保護フィルム
　４７　　　　　　　　　転写シートの基材
　４８　　　　　　　　　転写シートの着色層